(57)【特許請求の範囲】
【請求項１】
吸込口本体と、
一端が前記吸込口本体に形成された接続管取付凹部に接続されるとともに、他端が掃除機本体に連通される延長管に着脱自在に掛止される接続管とを有し、
前記接続管は、
前記吸込口本体の進退方向に沿う軸回りに回動可能な回動接続管と、
前記回動接続管に接続され、前記吸込口本体に対して進退方向に傾動可能な傾動接続管と、
被清掃面に対して前記傾動接続管の傾動角度が所定角度になると前記延長管と前記接続管との掛止を解除する分離手段とを備え、
前記吸込口本体の前記接続管取付凹部の周縁部には、
被清掃面に直交する面に対して前記傾動接続管の傾動角度が所定角度になると前記分離手段の掛止の解除を阻止する延長管誤脱防止手段が設けられたことを特徴とする電気掃除機の吸込口体。
【請求項２】
前記吸込口本体は側面にバンパ部を備え、
前記接続管取付凹部に配置される前記バンパ部の端部に、前記延長管誤脱防止手段が設けられたことを特徴とする請求項１に記載の電気掃除機の吸込口体。
【請求項３】
前記延長管の一端に請求項１または２に記載の前記吸込口体を備えたことを特徴とする電気掃除機。
【発明の詳細な説明】
【技術分野】
【０００１】
本発明は、吸込口体の他に補助ブラシを備え、補助ブラシと吸込口体とを着脱可能な電気掃除機に関する。
【背景技術】
【０００２】
従来の電気掃除機の吸込口体は、吸込口本体の後方に回動自在に設けられた回動接続管と、この回転体に回動自在に設けられた傾動接続管とを備え、この傾動接続管に設けられたロック機構によって電気掃除機の延長管の先端部に着脱自在に構成されたものが一般的である。
【０００３】
吸込口体が入り込めない狭所や、吸込口体を持ち上げて掃除しづらい高所などを清掃する際は、延長管の先端部から吸込口体を取り外し、延長管の先端部から塵埃を吸い込んで清掃をすることができる。
【０００４】
しかしながら、吸込口体を延長管に着脱するには、電気掃除機の使用者が被清掃面上にある吸込口体を把持してロック機構を操作する必要があり、操作性が悪かった。
【０００５】
そこで、特許文献１に記載の電気掃除機では、延長管に接続された傾動接続管を所定角度回動させたときに、吸込口本体に形成された押圧部でロック機構の操作部を押圧することにより、傾動接続管と延長管とのロックを解除して吸込口体から延長管を取り外すことができる。すなわち、延長管に接続された手元操作管を持ったまま傾動接続管を所定角度回動させて傾動接続管と延長管とのロックを解除できるので、吸込口体から延長管を取り外す点は改良が図られる。
【特許文献１】特開２００５−２９６２８４号公報
【発明の開示】
【発明が解決しようとする課題】
【０００６】
従来の電気掃除機では、例えばベッドの下のように被清掃面の上方に十分な空間のない挟所を掃除する際は、吸込口体の回動接続管を回動させて、吸込口体と延長管とを被清掃面に沿わせるようにして清掃できる。
【０００７】
このとき、電気掃除機の使用者は、吸込口体の状況を十分に目視することができず、例えばベッド脇の壁面のような障害物に吸込口体を強く衝突あるいは押し付ける可能性がある。そうすると、傾動接続管が回動し、ロック機構の操作部が吸込口本体や障害物などによって押圧され、傾動接続管と延長管とのロックが解除される虞がある。傾動接続管と延長管とのロックが解除されると吸込口体は不意に延長管から外れて挟所に取り残されることになる。
【０００８】
そこで、従来の電気掃除機の吸込口体のロック機構は、その操作部が傾動接続管のカバー部の外形に沿って、すなわち、カバー部の外面から突出しないように形成され、傾動接続管の回動による操作部の不意の押圧を回避している。
【０００９】
しかしながら、ロック機構の操作部がカバー部の外面から突出していないと、電気掃除機の使用者が吸込口体を把持して吸込口体から延長管を取り外したい場合には、ロック機構の操作性は低下する。
【００１０】
本発明は、吸込口体から延長管を取り外す際のロック機構の操作性を向上させるとともに、吸込口本体の回動によって不意に吸込口体から延長管が外れることのない吸込口体および電気掃除機を提案する。
【課題を解決するための手段】
【００１１】
前記の課題を解決するため本発明では、吸込口本体と、一端が前記吸込口本体に形成された接続管取付凹部に接続されるとともに、他端が掃除機本体に連通される延長管に着脱自在に掛止される接続管とを有し、前記接続管は、前記吸込口本体の進退方向に沿う軸回りに回動可能な回動接続管と、前記回動接続管に接続され、前記吸込口本体に対して進退方向に傾動可能な傾動接続管と、被清掃面に対して前記傾動接続管の傾動角度が所定角度になると前記延長管と前記接続管との掛止を解除する分離手段とを備え、前記吸込口本体の前記接続管取付凹部の周縁部には、被清掃面に直交する面に対して前記傾動接続管の傾動角度が所定角度になると前記分離手段の掛止の解除を阻止する延長管誤脱防止手段が設けられたことを特徴とする。
【発明の効果】
【００１２】
本発明によれば、吸込口体から延長管を取り外す際のロック機構の操作性を向上させるとともに、吸込口本体の回動によって不意に吸込口体から延長管が外れることのない吸込口体および電気掃除機を提案することができる。
【発明を実施するための最良の形態】
【００１３】
本発明に係る電気掃除機の実施形態について図１から図７を参照して説明する。
【００１４】
図１は、本発明に係る電気掃除機の外観を示した図である。
【００１５】
図１に示すように、本実施形態に係る電気掃除機１は、掃除機本体２と、掃除機本体２に設けられた接続口２ａに一端が着脱白在に接続された集塵ホース３と、集塵ホース３の他端に一端が設けられた手元操作管４と、手元操作管４の他端に一端が着脱自在に接続された延長管５と、延長管５の他端に着脱自在に接続された吸込口体６とを備える。
【００１６】
手元操作管４には操作部４ａが設けられ、操作部４ａには掃除機本体２に収容された電動送風機７の駆動を停止する切スイッチ４ｂや電動送風機７の送風力を設定する強弱スイッチ４ｃなどが設けられる。
【００１７】
掃除機本体２は、その内部に収容され、接続口２ａを介して吸込口体６に負圧を作用させる電動送風機７と、電動送風機７の生じた負圧によって空気とともに吸い込んだ塵埃を空気から分離して集塵する着脱可能な塵埃分離集塵ユニット（図示省略）と、この塵埃分離集塵ユニットに塵埃が捕集された空気を電動送風機７の排気風として掃除機本体２の外部に排気する本体排気口（図示省略）とを備える。
【００１８】
図２は、本発明に係る電気掃除機の吸込口体と延長管の一部とを示す斜視図である。
【００１９】
なお、説明を容易にするために以下、図２に示す姿勢を基本姿勢とし、実線矢Ｘを前方、実線矢Ｙを左方、実線矢Ｚを上方として前後、左右および上下の方向説明を行う。
【００２０】
図２に示すように、延長管５は、延長管本体１１と、延長管本体１１に着脱可能に接続された補助清掃体１２とから構成される。
【００２１】
延長管本体１１は手元操作管４から延びる管部である。
【００２２】
補助清掃体１２は、延長管本体１１に接続される補助管部１４と、補助管部１４の一端に回動可能に設けられた補助ブラシ部１５と、補助ブラシ部１５の前方を照らす照明部１６と、照明部１６の上カバー１７および下カバー１８とから構成される。
【００２３】
補助管部１４の他端には接続筒部２０が形成され、延長管本体１１に挿入されて延長管本体１１と連通した風路が形成される。延長管本体１１の解除ボタン２１を押圧すると、延長管本体１１から補助清掃体１２を取り外すことができる。
【００２４】
補助ブラシ部１５は、補助管部１４に対する回動軸（図示省略）が形成された環状枠部２２と、環状枠部２２から延長管５の長手軸方向に延びた起毛部２３とから構成される。起毛部２３は、例えば樹脂製の柔軟な細い軸を密生させて、それらの根本を環状枠部２２に固定したものである。
【００２５】
吸込口体６は、吸込口本体２５と、吸込口本体２５の後方中央部に設けられた接続管部２６とから構成される。接続管部２６には延長管５が着脱自在に接続される。
【００２６】
吸込口本体２５は、上ケース２８と、下ケース２９と、上ケース２８と下ケース２９との間に挟持されたバンパ部３０とから構成される。バンパ部３０は、吸込口本体２５の側面のほぼ全周に亘って設けられる。
【００２７】
接続管部２６は、吸込口本体２５に対して吸込口体６の進退方向であるＸ軸回りに回動可能な回動接続管部３２と、回動接続管部３２に対してＸ軸に直交するｒ軸回りに回動可能、すなわち吸込口体６の進退方向であるＸ軸に対して傾動可能な傾動接続管部３３と、傾動接続管部３３に設けられて吸込口体６と延長管５との結合状態を変更する分離手段としてのロック機構３４とから構成される。
【００２８】
ロック機構３４は、傾動接続管部３３の外形から突出されて形成された押圧ボタン部３６と、延長管５に接続された傾動接続管部３３を所定角度回動させたときに、回動接続管部３２に形成された押圧部３７に押圧される被押圧突起部３８とを有する。
【００２９】
押圧ボタン部３６と被押圧部としての被押圧突起部３８とは前後に並んで配設され、押圧ボタン部３６の方が被押圧突起部３８よりも傾動接続管部３３の外形から突出されて形成される。
【００３０】
押圧ボタン部３６は、傾動接続管部３３の外形から突出され、かつ被押圧突起部３８よりも突出させて形成されるので、電気掃除機１の使用者が吸込口体６を把持して吸込口体６から延長管５を取り外したい場合には、ロック機構３４の解除操作を非常に容易に行える。
【００３１】
図３は、本発明に係る電気掃除機の吸込口体と延長管の一部とを示す斜視図である。
【００３２】
図３に示すように、吸込口体６の吸込口本体２５の後方中央部に形成された接続管取付凹部３９に接続管部２６が設けられる。
【００３３】
接続管取付凹部３９は、上ケース２８に形成された上ケース凹部４１と、上ケース凹部４１に対応させて下ケース２９に形成された下ケース凹部４２と、上ケース凹部４１と下ケース凹部４２とに対応させてバンパ部３０に形成された切り欠き部４３とから形成される。また、接続管取付凹部３９は、接続管部２６の回動接続管部３２が回動する際の妨げとならないように適宜離間されつつ、回動接続管部３２の周縁に形成される。
【００３４】
接続管取付凹部３９に配置されたバンパ部３０の切り欠き部４３の切り欠き端部４５には、吸込口体６の後方に向けて突設された延長管誤脱防止手段としての誤脱防止リブ４６が形成される。
【００３５】
回動接続管部３２には、傾動接続管部３３の回動軸であるｒ軸に平行な面を有する押圧部３７が形成される。
【００３６】
吸込口体６の接続管部２６に延長管５が接続されているとき、延長管５をｒ軸を傾動中心としてＸ軸からほぼ８０°から１００°、好ましくは８０°起立させると、ロック機構３４の被押圧突起部３８が押圧部３７に当接される。さらに延長管５を起立させると被押圧突起部３８が押圧部３７に押圧されてロック機構３４が解除される。
【００３７】
図４は、本発明に係る電気掃除機の吸込口体と延長管の一部とを示す縦断面図である。
【００３８】
図４に示すように、延長管５の補助清掃体１２は、補助管部１４の一端に吸込口体６のロック機構３４に対応させて被掛止部５０を有する。
【００３９】
補助清掃体１２の上カバー１７内は、補助管部１４から突設されたリブ５１によって被掛止部５０の収容部と照明部１６の収容部とに区画される。
【００４０】
上カバー１７の照明部１６の収容部には凹部５２が形成され、補助管部１４にはボス５３が突設される。上カバー１７は、凹部５２によってボス５３にネジ止めされる。上カバー１７は被掛止部５０の上方を閉鎖する。
【００４１】
吸込口体６の吸込口本体２５の前方下部には、被清掃面Ｆに対向した吸込口５５を有する吸気室５６が形成される。吸気室５６にはモータ（図示省略）によって回転するブラシ５７を備えた回転清掃体５８が収容される。回転清掃体５８は吸込口５５を介して被清掃面Ｆに対向する。吸気室５６の後方は接続管部２６に連通される。
【００４２】
吸込口本体２５の後端部には左右一対の脚部６０が突設される。脚部６０の間には後部車輪６１が回転自在に支持される。
【００４３】
接続管部２６は、上ケース２８と下ケース２９とに挟持され吸気室５６に連通された接続管吸込口６２を有する。接続管吸込口６２の後部は回動接続管部３２に連通される。
【００４４】
回動接続管部３２は、接続管吸込口６２に連通されるとともにＸ軸回りに回動可能な回動接続管６３と、回動接続管６３の下部を覆う回動接続管下カバー６４とから構成される。
【００４５】
傾動接続管部３３は、回動接続管６３に連通されるとともにＸ軸に直交するｒ軸回りに回動可能な傾動接続管６６と、傾動接続管６６の上部を覆う傾動接続管上カバー６７とから構成される。
【００４６】
ロック機構３４は、吸込口体６と延長管５との結合状態を維持する揺動部材６９と、揺動部材６９の補助レバー７０とから構成された揺動部７１を備える。揺動部材６９はコイルバネ７２によって、補助レバー７０はコイルバネ７３によって、それぞれ吸込口体６と延長管５との結合状態を維持する方向へ付勢される。
【００４７】
揺動部材６９は延長管５と吸込口体６の傾動接続管部３３との結合状態を維持または解除する。揺動部材６９は、吸込口本体２５側の先端部に形成された押圧ボタン部３６と、延長管５側の先端部に形成された鈎状の爪部７５と、押圧ボタン部３６の後方に形成された揺動軸７６と、揺動軸７６の後方に形成され、中心に孔を有する円形環状部７８とを備える。
【００４８】
押圧ボタン部３６の内側にはバネ挿入凹部７９が形成される。傾動接続管６６には押圧ボタン部３６のバネ挿入凹部７９に対向させて突起部８１が形成される。コイルバネ７２の一端はバネ挿入凹部７９に挿入され、他端は突起部８１に嵌め込まれて揺動部材６９を付勢する。
【００４９】
揺動軸７６は傾動接続管部３３の回動軸であるｒ軸とほぼ平行なｒ’軸回りに揺動部材６９を回動可能に軸支する。
【００５０】
円形環状部７８の孔には傾動接続管６６から突設されたボス８２が離間されて挿入される。揺動部材６９の揺動によっても揺動部材６９とボス８２とは干渉しない。ボス８２は、傾動接続管６６に傾動接続管上カバー６７を固定するために用いられる。
【００５１】
揺動部材６９の爪部７５は、押圧ボタン部３６に設けられたコイルバネ７２によって付勢され、補助清掃体１２の被掛止部５０に形成された鈎状の掛止板部８３に掛止される。爪部７５と掛止板部８３との結合が解除されると、吸込口体６から延長管５を離脱できる。
【００５２】
揺動部材６９の押圧ボタン部３６側の端部には、補助レバー７０の被押圧突起部３８に当接された突起部８４が形成される。
【００５３】
補助レバー７０は、被押圧突起部３８と、被押圧突起部３８の左右から後方に突出させて形成された一対のレバー部８５と、レバー部８５の後端部に形成された軸穴部８７とから構成される。
【００５４】
被押圧突起部３８の内側にはバネ挿入凹部８８が形成される。バネ挿入凹部８８にはコイルバネ７３の一端が嵌め込まれる突起部８９が突設される。傾動接続管６６には被押圧突起部３８のバネ挿入凹部８８に対向させて突起部９０が形成される。コイルバネ７３の一端は突起部８９に嵌め込まれ、他端は突起部８１に嵌め込まれて補助レバー７０を付勢する。
【００５５】
軸穴部８７は、揺動部材６９の揺動軸７６が挿通される孔を有し、ｒ’軸回りに補助レバー７０を回動可能に軸支する。
【００５６】
揺動部７１は、揺動部材６９を付勢するコイルバネ７２と、補助レバー７０を付勢するコイルバネ７３とによって付勢される。コイルバネ７２は揺動部材６９の爪部７５と被掛止部５０の掛止板部８３とによって吸込口体６を延長管５に十分に掛止できる弾性力を有する。同様にコイルバネ７３は、吸込口体６を延長管５に十分に掛止できる弾性力を有する。また、コイルバネ７３の弾性係数は、コイルバネ７２の弾性係数よりも大きく設定される。
【００５７】
揺動部材６９の押圧ボタン部３６が押圧されると、補助レバー７０は揺動せずに、揺動部材６９のみが揺動されて爪部７５と掛止板部８３との結合が解除される。
【００５８】
補助レバー７０の被押圧突起部３８が押圧されると、突起部８４を介して揺動部材６９が揺動されて爪部７５と掛止板部８３との結合が解除される。
【００５９】
すなわち、押圧ボタン部３６の操作によって吸込口体６から延長管５を離脱する際は、コイルバネ７２の付勢力に抗して押圧ボタン部３６を押圧することになる。
【００６０】
他方、被押圧突起部３８の操作によって吸込口体６から延長管５を離脱する際は、コイルバネ７２とコイルバネ７３との付勢力に抗して押圧ボタン部３６を押圧することになる。
【００６１】
したがって、押圧ボタン部３６が押圧されたときの方が、被押圧突起部３８が押圧されたときよりも軽い力で吸込口体６から延長管５を離脱することができる。
【００６２】
図５は、本発明に係る電気掃除機の吸込口体と延長管の一部とを示し、傾動接続管部を起立させた状態を示す縦断面図である。
【００６３】
図５に示すように、吸込口体６の接続管部２６に延長管５が接続されているとき、ｒ軸を傾動中心として延長管５をＸ軸に平行な被清掃面Ｆに対してほぼ８０°から１００°、好ましくは８０°起立させると、被押圧突起部３８が押圧部３７に当接される。通常の床面清掃時に延長管５を床面から９０°近く（８０°から１００°）に起立させて清掃を行うことはないので、９０°起立させると分離できるように構成される。なお、延長管５を吸込口体６から分離させる際の起立角度は電気掃除機１の使用形態に合わせて任意の角度で取り外し可能としても良い。
【００６４】
さらに延長管５を起立させると、押圧部３７は被押圧突起部３８を押圧し、被押圧突起部３８は揺動部材６９の突起部８４を介して揺動部材６９を揺動させる。そうすると、揺動部材６９の爪部７５と、被掛止部５０の掛止板部８３との結合が解除される。さらに、実線矢Ａの方向に延長管５を引き上げると、延長管５と吸込口体６とが分離されて、吸込口体６から延長管５が離脱される。
【００６５】
なお、吸込口本体２５の接続管部２６に延長管５が接続されているとき、押圧ボタン部３６を電気掃除機１の使用者が指などで押圧すると、揺動部材６９が揺動され、爪部７５と掛止板部８３との結合が解除される。さらに吸込口体６を延長管５から引き離すと、吸込口体６と延長管５とが分離されて、吸込口体６から延長管５が離脱される。
【００６６】
延長管５から吸込口体６を離脱させると、延長管５の補助清掃体１２を用いて清掃が可能となる。
【００６７】
分離した吸込口体６に延長管５を結合する場合には、補助清掃体１２の補助ブラシ部１５に設けられた環状枠部２２の内側に吸込口体６の接続筒部２０を通し、延長管５を吸込口体６に近づける。そうすると、揺動部材６９の爪部７５が被掛止部５０の掛止板部８３を乗り越えて延長管５と吸込口体６とが結合される。
【００６８】
ここで、電気掃除機１を用いて、例えばベッドの下のように被清掃面の上方に十分な空間のない挟所を掃除する場合を考える。
【００６９】
図６は、本発明に係る電気掃除機の吸込口体と延長管の一部とを示し、回動接続管部を回動させた状態を示す平面図である。
【００７０】
図６に示すように、吸込口体６の回動接続管部３２を回動させた状態から傾動接続管部３３を傾動させると、傾動接続管部３３は被清掃面に直交する面に対して傾動する。水平な被清掃面上で吸込口体６の回動接続管部３２を、例えば９０°回動させると、傾動接続管部３３は鉛直面に対して傾動することとなる。そうすると、電気掃除機１の使用者は吸込口体６と延長管５とを被清掃面に沿わせて清掃することができる。
【００７１】
そうすると、例えばベッドの下のように被清掃面の上方に十分な空間のない挟所であっても清掃が可能になる。
【００７２】
このとき、吸込口体６の傾動接続管部３３を回動させることによって吸込口体６と延長管５との角度を所望に変更しつつ被清掃面の清掃が可能である。
【００７３】
図７は、本発明に係る電気掃除機の吸込口体の一部を示し、回動接続管部を回動させた状態を示す透視図である。
【００７４】
図７に示すように、吸込口体６の回動接続管部３２を回動させて、傾動接続管部３３を被清掃面に直交する面に対して傾動させると、ロック機構３４の被押圧突起部３８が吸込口本体２５に接近する。そうすると、吸込口本体２５のバンパ部３０に形成された誤脱防止リブ４６が被押圧突起部３８の前面壁部９２に当接される。
【００７５】
このとき、誤脱防止リブ４６と被押圧突起部３８の前面壁部９２との接点Ｃを考える。
【００７６】
前面壁部９２は、被押圧突起部３８の軸穴部８７の回動中心であるｒ’軸を中心とする円Ｒ’について、接点Ｃにおける接線Ｌに対して所要の傾斜角αだけ傾斜される。
【００７７】
傾斜角αは、補助レバー７０が押圧されて結合を解除する回動方向βと同じ方向に傾斜される。回動方向βは揺動部材６９の爪部７５と、被掛止部５０の掛止板部８３との結合の結合を解除する際の押圧ボタン部３６および被押圧突起部３８の押圧方向である。
【００７８】
回動接続管部３２をほぼ９０°回動させた状態において、傾動接続管部３３の回動中心であるｒ軸から誤脱防止リブ４６の先端部までの距離は、傾動接続管部３３の回動中心であるｒ軸から前面壁部９２の接点Ｃまでの距離Ｄと略等しく構成される。
【００７９】
したがって、誤脱防止リブ４６に前面壁部９２が押圧されると、接点Ｃから前面壁部９２に加えられる力ｆによって、誤脱防止リブ４６が前面壁部９２を実線矢Ｂの方向へ滑り、補助レバー７０はｒ’軸回りに回動方向βの反対の回動方向γへ回動される。
【００８０】
そうすると、補助レバー７０は揺動部材６９の突起部８４を押圧することはなく、揺動部材６９の掛止が解除されることがない。すなわち、揺動部材６９の爪部７５と被掛止部５０の掛止板部８３との結合が解除されることはなく、吸込口体６と延長管５との結合状態が維持される。
【００８１】
なお、誤脱防止リブ４６を吸込口本体２５の接続管取付凹部３９の周縁に任意に形成することで、誤脱防止リブ４６が存する箇所における吸込口体６と延長管５との結合状態の維持の確実を図ることができる。
【００８２】
本実施形態に係る電気掃除機１は、吸込口体６を延長管５に着脱自在に構成される。
【００８３】
延長管５には掛止板部８３を備えた被掛止部５０が設けられ、他方、吸込口体６には、延長管５と吸込口体６との結合状態を維持する揺動部材６９を備えたロック機構３４が設けられる。すなわち、被掛止部５０とロック機構３４とは、延長管５と吸込口体６とを着脱自在に結合するロック部である。
【００８４】
このロック部は、床面などの被清掃面Ｆにほぼ平行なＸ軸と延長管５とのなす角度を所定角度回動させると、延長管５と吸込口体６との結合を解除して吸込口体６から延長管５を分離可能にする。
【００８５】
したがって、電気掃除機１の使用者は手元操作管４を把持したまま、吸込口体６に対して延長管５を起立させると、延長管５と吸込口体６とを即時に分離できる。そうすると、吸込口体６が入り込めない狭所や、吸込口体６を持ち上げて掃除しづらい高所などを清掃する場合には、吸込口体６または補助清掃体１２を用いて掃除を行う電気掃除機１の使用の態様を容易かつ迅速に切換ることができる。また、電気掃除機１の使用者は、吸込口体６を把持するために屈んだり、しゃがんだりする必要がなく、疲労感が少ない。なお、電気掃除機１の使用者は手で吸込口体６を把持して延長管５と吸込口体６とを分離することも勿論可能である。
【００８６】
また、このロック部は、傾動接続管部３３の外形から突出されて形成された押圧ボタン部３６と、延長管５に接続された傾動接続管部３３を所定角度回動させたときに、回動接続管部３２に形成された押圧部３７に押圧される被押圧突起部３８とを有し、かつ、押圧ボタン部３６が押圧されたときの方が、被押圧突起部３８が押圧されたときよりも軽い力で吸込口体６から延長管５を離脱できる。
【００８７】
したがって、電気掃除機１の通常の使用時には、誤って被押圧突起部３８が押圧されてもコイルバネ７２およびコイルバネ７３の付勢力によって吸込口本体２５が付勢方向に逃げるので、ロックが解除されてしまうことがない。また、電気掃除機１の使用者が吸込口体６の洗浄などの際に延長管５から吸込口体６を取り外す場合は、押し易く、かつ軽い力でロックを解除できる押圧ボタン部３６を操作すると、延長管５から吸込口体６を離脱できるので、使い勝手が良い。
【００８８】
また、本実施形態に係る電気掃除機１は、例えば、ベッドの下などの通常の状態では掃除しにくい狭所を掃除する場合には、吸込口体６の回動接続管部３２をほぼ９０°回動させて延長管５と吸込口体６とを被清掃面に沿わせて清掃することができる。
【００８９】
このとき、吸込口体６の傾動接続管部３３を回動させると、傾動接続管部３３の外形から突出されて形成された押圧ボタン部３６が吸込口本体２５に接近するが、押圧ボタン部３６が吸込口本体２５に当接されるよりも先に、吸込口本体２５のバンパ部３０に形成された誤脱防止リブ４６が被押圧突起部３８の前面壁部９２に当接される。そうすると、揺動部材６９の爪部７５と被掛止部５０の掛止板部８３との結合が解除されることはなく、吸込口体６と延長管５との結合状態が維持されるので、掃除中に不意に延長管５が外れることはない。
【００９０】
本発明に係る電気掃除機は、キャニスタ型の電気掃除機１に限らず、アプライト型、スティック型、あるいはハンディ型などの電気掃除機であってもよい。
【００９１】
本実施形態に係る電気掃除機１によれば、吸込口体６から延長管５を取り外す際のロック機構３４の操作性を向上させるとともに、吸込口本体の回動によって不意に吸込口体から延長管が外れることがない。
【図面の簡単な説明】
【００９２】
【図１】本発明に係る電気掃除機の外観を示した図。
【図２】本発明に係る電気掃除機の吸込口体と延長管の一部とを示す斜視図。
【図３】本発明に係る電気掃除機の吸込口体を示す斜視図。
【図４】本発明に係る電気掃除機の吸込口体と延長管の一部とを示す縦断面図。
【図５】本発明に係る電気掃除機の吸込口体と延長管の一部とを示し、傾動接続管部を起立させた状態を示す縦断面図。
【図６】本発明に係る電気掃除機の吸込口体と延長管の一部とを示し、回動接続管部を回動させた状態を示す平面図。
【図７】本発明に係る電気掃除機の吸込口体の一部を示し、回動接続管部を回動させた状態を示す透視図。
【符号の説明】
【００９３】
１  電気掃除機
２  掃除機本体
２ａ  接続口
３  集塵ホース
４  手元操作管
４ａ  操作部
４ｂ  切スイッチ
４ｃ  強弱スイッチ
５  延長管
６  吸込口体
７  電動送風機
１１  延長管本体
１２  補助清掃体
１４  補助管部
１５  補助ブラシ部
１６  照明部
１７  上カバー
１８  下カバー
２０  接続筒部
２１  解除ボタン
２２  環状枠部
２３  起毛部
２５  吸込口本体
２６  接続管部
２８  上ケース
２９  下ケース
３０  バンパ部
３２  回動接続管部
３３  傾動接続管部
３４  ロック機構
３６  押圧ボタン部
３７  押圧部
３８  被押圧突起部
３９  接続管取付凹部
４１  上ケース凹部
４２  下ケース凹部
４３  切り欠き部
４５  切り欠き端部
４６  誤脱防止リブ
５０  被掛止部
５１  リブ
５２  凹部
５３  ボス
５５  吸込口
５６  吸気室
５７  ブラシ
５８  回転清掃体
６０  脚部
６１  後部車輪
６２  接続管吸込口
６３  回動接続管
６４  回動接続管下カバー
６６  傾動接続管
６７  傾動接続管上カバー
６９  揺動部材
７０  補助レバー
７１  揺動部
７２  コイルバネ
７３  コイルバネ
７５  爪部
７６  揺動軸
７８  円形環状部
７９  バネ挿入凹部
８１  突起部
８２  ボス
８３  掛止板部
８４  突起部
８５  レバー部
８７  軸穴部
８８  バネ挿入凹部
８９  突起部
９０  突起部
９２  前面壁部
【図１】
0005100444.tif 000002
【図２】
0005100444.tif 000003
【図３】
0005100444.tif 000004
【図４】
0005100444.tif 000005
【図５】
0005100444.tif 000006
【図６】
0005100444.tif 000007
【図７】
0005100444.tif 000008